(57)【要約】【課題】クリップに装着した摩擦体の使用時に、クリップが当接し難い熱変色性筆記具を提供する。【解決手段】筆記具を構成する筒体３の一方の端部外周面に、前記筒体の他方の端部に向かって、長手方向に沿って延びるクリップ６を具備し、該クリップに、熱変色性インキの筆跡を摩擦し、その際に生じる摩擦熱で前記熱変色性インキの筆跡を熱変色可能なゴム状弾性を有する摩擦体７を装着する。前記摩擦体７は、少なくとも前記クリップ表面６Ａより外方に隆起した前記熱変色性インキの筆跡を摩擦する摩擦部７Ａを有し、前記摩擦部７Ａの他方の端部の肉厚Ｌに対し、一方の端部の肉厚Ｍを厚くしてある。【選択図】      図２
2014117802.tif 000002
【特許請求の範囲】
【請求項１】
筆記具を構成する筒体の一方の端部外周面に、前記筒体の他方の端部に向かって、長手方向に沿って延びるクリップを具備し、該クリップに、熱変色性インキの筆跡を摩擦し、その際に生じる摩擦熱で前記熱変色性インキの筆跡を熱変色可能なゴム状弾性を有する摩擦体を装着してなる熱変色性筆記具であって、前記摩擦体が、少なくとも前記クリップ表面より外方に隆起した前記熱変色性インキの筆跡を摩擦する摩擦部を有するとともに、前記クリップ表面から隆起する前記摩擦部の肉厚が、前記摩擦部の他方の端部の肉厚に対し、一方の端部の肉厚を厚くしてあることを特徴とする熱変色性筆記具。
【請求項２】
前記熱変色性筆記具の軸心からクリップ表面までの距離が、前記摩擦部の他方の端部に対向する位置に対し、前記摩擦部の一方の端部に対向する位置までの距離が短いことを特徴する請求項１に記載の熱変色性筆記具。
【請求項３】
前記熱変色性筆記具の軸心からの距離が最も離間している摩擦部の頂部が、前記摩擦部の一方の端部に位置することを特徴する請求項１または２に記載の熱変色性筆記具。
【発明の詳細な説明】
【技術分野】
【０００１】
本発明は、筆記具を構成する筒体の一方の端部外周面に、該筒体の他方の端部に向かって、長手方向に沿って延びるクリップを具備し、該クリップに、熱変色性インキの筆跡を摩擦し、その際に生じる摩擦熱で前記熱変色性インキの筆跡を熱変色可能なゴム状弾性を有する摩擦体を装着してなる熱変色性筆記具に関する。
【背景技術】
【０００２】
従来から、筆記具を構成する筒体の一方の端部外周面に、該筒体の他方の端部に向かって、長手方向に沿って延びるクリップを具備してなる筆記具はよく知られていて、特開２００４−３３０５１３号「塗布具用クリップ組付け構造」等に開示されている。
【０００３】
こうしたクリップを具備してなる筆記具において、特開２０１２−１９２７３０号公報「筆記具用クリップ及び筆記具」」では、クリップに飾り部材を係止し、装着した飾り部材を摩擦体として、熱変色性インキの筆跡を熱変色可能とした筆記具が開示されている。
【先行技術文献】
【特許文献】
【０００４】
【特許文献１】特開２００４−３３０５１３号公報
【特許文献２】特開２０１２−１９２７３０号公報
【発明の概要】
【発明が解決しようとする課題】
【０００５】
しかし、前記した特許文献２など、クリップに摩擦体を装着する場合、摩擦体の使用時にクリップと紙面等の被筆記面が当接しないように、クリップからの突出量を大きくする必要があった。そのため、ペンケースなどに収納する場合やポケットに挟持したときに邪魔になりやすい等の課題があった。
【０００６】
こうした問題を鑑みて、クリップを小さくすること、摩擦体を薄くする等、クリップからの突出量を小さくすることが考えられるが、前者は、クリップ自体を小さくすることでクリップ強度が低下する恐れがあり、繰り返しの使用などによってクリップが破損する恐れがあり、後者は、摩擦体使用時の感触が悪くなるとともに、摩擦部が弾性変形し難くなり、クリップと摩擦体の装着部への応力が増大し、摩擦体がクリップから外れやすく、移動時などで摩擦部が損傷すると、クリップが露出する恐れがあった。
【０００７】
本発明はこれらの従来技術に鑑みてなされたものであって、クリップに装着した摩擦体の使用時に、クリップが当接し難い熱変色性筆記具を提供することにある。
【課題を解決するための手段】
【０００８】
本発明は、前記問題を解決するために、筆記具を構成する筒体の一方の端部外周面に、前記筒体の他方の端部に向かって、長手方向に沿って延びるクリップを具備し、該クリップに、熱変色性インキの筆跡を摩擦し、その際に生じる摩擦熱で前記熱変色性インキの筆跡を熱変色可能なゴム状弾性を有する摩擦体を装着してなる熱変色性筆記具であって、前記摩擦体が、少なくとも前記クリップの表面より外方に隆起した前記熱変色性インキの筆跡を摩擦する摩擦部を有するとともに、前記クリップの表面から隆起する前記摩擦部の肉厚が、前記摩擦部の他方の端部の肉厚に対し、一方の端部の肉厚を厚くしてあることを特徴する。
【０００９】
また、前記熱変色性筆記具の軸心からクリップの表面までの距離が、前記摩擦部の他方の端部に対向する位置に対し、前記摩擦部の一方の端部に対向する位置までの距離が短いことを特徴する。
【００１０】
また、前記熱変色性筆記具の軸心からの距離が最も離間している摩擦部の頂部が、前記摩擦部の一方の端部に位置することを特徴する。
【００１１】
本願発明の第１の構成によれば、少なくとも前記クリップの表面より外方に隆起した前記熱変色性インキの筆跡を摩擦する摩擦部を有するとともに、前記クリップの表面からの前記摩擦部の肉厚が、前記摩擦部の一方の端部の肉厚に対し、他方の端部の肉厚を厚くすることで、摩擦体を使用し易く、且つ摩擦体を外れ難くする効果を奏する。これは、クリップ表面より外方に隆起した摩擦部を、紙面等に筆記した熱変色性インキの筆跡を摩擦するときに、摩擦体の摩擦部をクリップの他方の端部に設けることで、クリップが直接、紙面等に当接し難く、且つ他方の端部の肉厚を厚くすることで、摩擦体が弾性変形し易く、摩擦体とクリップとの装着部への応力を緩和するためである。
【００１２】
本願発明の第２の構成によれば、前記熱変色性筆記具の軸心からクリップの表面までの距離が、前記摩擦部の一方の端部に対向する位置に対し、前記摩擦部の他方の端部に対向する位置までの距離が短いために、前記熱変色性筆記具の軸心から摩擦部の表面までの距離を長くすることなく、摩擦体の摩擦部の肉厚を効率的に厚くすることができる。
【００１３】
本願発明の第３の構成によれば、前記熱変色性筆記具の軸心からの距離が最も離間している摩擦部表面の頂部が、前記摩擦部の一方の端部に位置することで、摩擦部を、紙面等に当接しやすく、筆記した熱変色性インキの筆跡を摩擦しやすくすることができる。
【００１４】
尚、本発明の筆記具を構成する筒体には、軸筒やキャップ等、筆記具を構成する従来から知られている筒体を適宜用いることができる。
【００１５】
また、摩擦体には、ゴム状弾性を有する弾性体、例えば、シリコーンゴム、フッ素系ゴム、クロロプレンゴム、ニトリルゴム、ポリエステル系ゴム、エチレンプロピレンジエンゴム（ＥＰＤＭ）、スチレン系エラストマー、エステル系エラストマー、オレフィン系エラストマー等、ゴム状弾性を有するゴム、エラストマー等が挙げられ、適宜選択して用いることができる。また、硬さは、ショアＡ硬度４０以上、１００以下が好ましい。
【００１６】
本発明に用いる熱変色性インキには、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１７】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【発明の効果】
【００１８】
本発明は、クリップに装着した摩擦体の使用時に、クリップが当接し難い熱変色性筆記具を提供することができた。
【図面の簡単な説明】
【００１９】
【図１】実施形態１の熱変色性筆記具を示す縦断面図である。
【図２】図１における一部省略した要部拡大断面図である。
【図３】図１におけるＡ−Ａ拡大断面図である。
【図４】図１における摩擦体を使用する状態の一例を示す図である。
【図５】実施形態２の熱変色性筆記具を示す縦断面図である。
【図６】図５における一部省略した要部拡大断面図である。
【発明を実施するための形態】
【００２０】
図１〜図３に、実施形態１の熱変色性筆記具１を示す。筆記具１は、前軸２と後軸３を螺着して得た軸筒本体内に収容したボールペンレフィルを、前軸２内に配設したコイルスプリング１２によって、後軸３の後端方向に向かって、摺動自在に付勢して収容してある。また、後軸３内には、回転カム４からなる出没機構が内設され、図示はしていないが、後軸３の内面には、カム溝を設けてある。
【００２１】
回転カム４の後方には、後軸３の後端から後方に突出するように操作体５が配設される。操作体５の先端部には、回転カム５を前方に移動するとともに回転を誘導するように先端に複数の鋸歯状のカム部（図示せず）を具備している。
【００２２】
後軸３の後端部の側面には、外方に突出する突部３Ａを一体に設けてあり、この突部３Ａにクリップ６を装着してある。具体的には、後軸３の後端部の側面に、外方に向かって突出する突部３Ａを設け、この突部３Ａをクリップ６に設けた内外を連通する係合孔６Ｃに挿通し、突部３Ａに設けた凸部（図示せず）と係合孔６Ｃ内に設けた凸部（図示せず）とを落とし込み係合することで、後軸３の後端部（一方の端部）から先端部（他方の端部）方向に、長手方向に沿って延びるクリップ６を装着してある。
【００２３】
また、クリップ６の表面には、ポリエステル系エラストマーかなる摩擦体７を装着してある。摩擦体７は、クリップ６の表面６Ａより外方に隆起した摩擦部７Ａと、クリップ６の裏面６Ｂよりも後軸３側に突出した裏面部７Ｃとを得ている。具体的には、摩擦体７は、クリップ６の表面６Ａから突出する突部３Ａを覆うとともに、このクリップ表面６Ａから外方に隆起した摩擦部７Ａと、クリップ６の裏面６Ｂ方向に向かって延出する脚部７Ｄと、クリップ６の裏面６Ｂに位置する裏面部７Ｂ、７Ｃとを設けてあり、摩擦体７の摩擦部７Ａと裏面部７Ｂ、７Ｃ間でクリップ６を保持して装着してある。また、クリップ６の後端部側の裏面部７Ｃでは、クリップ６と後軸３間で裏面部７Ｃを圧縮挟持して保持している。
【００２４】
摩擦体７を装着したクリップ６の後端部は、クリップ６の後端に向かって、熱変色性筆記具の軸心Ｊ側へ傾斜して設けて、熱変色性筆記具の軸心Ｊから摩擦部７Ａの先端部に対向するクリップ表面６Ａまでの距離Ｈに比べ、熱変色性筆記具の軸心Ｊからクリップ表面６Ａまでの距離Ｋを短くすることで、熱変色性筆記具の軸心Ｊから距離が一定距離であっても摩擦部７Ａの先端部（他方の端部）側におけるクリップ表面６Ａからの肉厚Ｌに対し、摩擦部７Ａの後端部（一方の端部）側のクリップ表面７Ａからの肉厚Ｍを厚くしてある。さらにまた、前記熱変色性筆記具の軸心からの距離が最も離間している摩擦部７Ａの頂部Ｔは、摩擦部７Ａの長手方向において、摩擦部７Ａの後端部に設けてあり、摩擦部７Ａの後端部が、最も厚い肉厚となる部分としてある。
【００２５】
ボールペンレフィル８は、ステンレス鋼線材からなるチップ本体に、ボール抱持室と、ボール抱持室の中央にインキ流通孔と、このインキ流通孔に連通する放射状に延び、チップ後部孔に達しないインキ流通溝を有するとともに、ボール抱持室の底壁に、φ０．３８ｍｍのタングステンカーバイド製のボールを載置し、チップ先端部のかしめ部を内側にかしめることにより、ボールの一部がチップ先端縁より突出するように回転自在に抱持したボールペンチップ１１を、インキ収容筒９の先端部に、チップホルダー１０を介して装着してある。
【００２６】
また、インキ収容筒９内には、平均粒径が０．５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の熱変色性の水性ボールペン用インキ（図示せず）と、このインキの後端に、グリース状のインキ追従体（図示せず）を直に収容してある。
【００２７】
熱変色性筆記具１を使用するには、ボールペンチップ１１の先端部が前軸２の先端開口部２Ａに没入した状態から、後軸３の後方に突出して配設した操作体５をコイルスプリング１２の付勢力に抗して、前軸２の先端開口部２Ａ方向に押圧操作すると、操作体５のカム部が回転カム４を作動させ、ボールペンチップ１１の先端部を、前軸２の先端開口部２Ａから突出した状態を維持して筆記することができる。前記した出没機構は、回転カム４からなる従来から知られている出没機構であって、ボールペンチップ１１を、前軸２の先端開口部２Ａから出没可能とするものである。
【００２８】
また、図４に示すとおり、この摩擦体７の摩擦部７Ａをノート等の筆記面Ｕに筆記した筆跡に圧接し、擦ることで発生する熱によって、熱変色性インキの筆跡を熱消色又は熱変色させることができる。
【００２９】
図５、図６に、実施形態２の熱変色性筆記具２１を示す。熱変色性筆記具２１は、クリップ２６に第一係合孔２６Ｃ、後軸２３に第二係合孔２３Ａを設け、摩擦部２７Ａからクリップの裏面方向に向かって延出する脚部２７Ｄを、クリップ２６の表面２６Ａ側から第一係合孔２６Ｃを挿通し、第二係合孔２３Ａに挿通するとともに、摩擦体２７の脚部２７Ｄに第一係止部２７Ｂ及び第二係止部２７Ｃを設け、第一係合孔２６Ｃに第一係止部２７Ｂを係止し、前記第二係合孔２３Ａに第二係止部２７Ｃを係止して装着し、クリップ２６と後軸２３が、摩擦体２７の脚部２７Ｄを介して連設した以外は、実施形態１と同様にして熱変色性筆記具を得ている。
【００３０】
摩擦体２７の脚部２７Ｄに設けた第一係止部２７Ｂは、クリップ２６の裏面２６Ｂに位置し、且つクリップ２６の裏面２６Ｂよりも後軸２３側に突出した裏面部とを兼備している。また、第二係止部２７Ｅは、後軸２３内に位置して装着してある。
【００３１】
また、摩擦体２７の脚部２７Ｄは、クリップ表面２６Ａと後軸２３の内面間で伸張した状態で装着してあり、常時、クリップ２６を後軸２３側に付勢する力が加わるようにしてある。さらにまた、クリップ２６と後軸２３を、摩擦体２７の脚部２７Ｄを介して連設することで、クリップ２６を厚手のポケット等に挟持する場合でも、クリップ２６の先端を後軸から大きく離間することができ、且つゴム状弾性によって元に戻り易い。
【００３２】
摩擦体とクリップの装着方法は、特に限定されるものではなく、凹凸嵌合、乗り越し嵌合、圧入嵌合、二色成形等が適宜選択することができるが、摩擦体が、クリップの裏面よりも筒体側に突出した裏面部を有することで、クリップ表面より外方に隆起した摩擦部を、紙面等に筆記した熱変色性インキの筆跡を摩擦するときに、直接、紙面等に当接しない裏面部によって、表面側の摩擦体の移動を抑制することができるので好ましい。
【００３３】
また、裏面部の少なくとも一部が、クリップと後軸間に位置するとともに、摩擦部と裏面部とで、前記クリップを保持することで、摩擦体の移動抑制を高めることができる。また、ゴム状弾性を有する摩擦体が、クリップと後軸間に挟持してあることで、クリップをポケット等に挟持した時、クリップの撓みによるクリップと後軸との連設する部分に生じる応力を、挟持した摩擦体が緩和するため、クリップの破損や装着力の低下を抑制する効果も奏する。
【００３４】
本実施例では、便宜上、筒体として、回転カムからなる出没機構を具備した出没式筆記具の軸筒（後軸）を例示しているが、筆記具を構成する筒体であれば、回転繰り出し等、出没機構は特に限定されるものではなく、キャップ式筆記具の軸筒やキャップを筒体としてあってもよい。
【００３５】
また、本実施形態では、便宜上、摩擦体を装着したクリップの後端部は、クリップの後端に向かって、熱変色性筆記具の軸心側へ傾斜して設けて、熱変色性筆記具の軸心からクリップ表面までの距離を短くするとともに、摩擦部の先端部（他方の端部）側におけるクリップ表面からの肉厚に対し、摩擦部の後端部（一方の端部）側のクリップ表面からの肉厚を厚くしてあるが、段部や凹部などによって、前記摩擦部の一方の端部に対向する位置に対し、前記摩擦部の他方の端部に対向する位置までの距離が短くしてあってもよい。
【産業上の利用可能性】
【００３６】
本発明の熱変色性筆記具は、出没式筆記具やキャップ式筆記具等、熱変色性筆記具として広く利用可能である。
【符号の説明】
【００３７】
１、２１  熱変色性筆記具
２  前軸
２Ａ  先端開口部
３、２３  後軸
３Ａ  突部
４  回転カム
５  操作体
６、２６  クリップ
６Ａ、２６Ａ  クリップ表面
６Ｂ、２６Ｂ  クリップ裏面
６Ｃ  係合孔
７、２７  摩擦体
７Ａ、２７Ａ  摩擦部
７Ｂ、７Ｃ  裏面部
７Ｄ、２７Ｄ  脚部
８  ボールペンレフィル
９  インキ収容筒
１０  チップホルダー
１１  ボールペンチップ
１２  コイルスプリング
２３Ａ  第二係合孔
２６Ｃ  第一係合孔
２７Ｂ、２７Ｃ  第一係止部（裏面部）
２７Ｅ  第二係止部（裏面部）
Ｈ  摩擦部の他方の端部に対向するクリップ表面までの距離
Ｋ  摩擦部の一方の端部に対向するクリップ表面までの距離
Ｌ  クリップ表面からの摩擦部の他方の端部の肉厚
Ｍ  クリップ表面からの摩擦部の一方の端部の肉厚
Ｔ  摩擦部の頂部
Ｕ  筆記面
【図１】
2014117802.tif 000003
【図２】
2014117802.tif 000004
【図３】
2014117802.tif 000005
【図４】
2014117802.tif 000006
【図５】
2014117802.tif 000007
【図６】
2014117802.tif 000008